(57)【要約】【課題】送信先の各画像処理装置において、媒体に原稿の画像と共に各あて先情報を印刷することができ、画像を送信するための作業を簡素化することができるようにする。【解決手段】原稿読取部２１と、原稿データから原稿の画像データを生成する画像抽出部２２と、受信者のあて先情報を生成するあて先情報生成部２６と、あて先情報を画像データに変換するあて先情報画像変換部２７と、余白があるかどうかを判断する画像分析判断部２９と、余白に対応させてあて先情報印刷領域を設定するあて先情報印刷領域設定部２９と、あて先情報の画像データが書き込まれたファクシミリデータを生成するファクシミリデータ生成部３３とを有する。特別のフォーマットを使用することなく、各あて先情報を印刷することができる。【選択図】図１
2014232984.tif 000002
【特許請求の範囲】
【請求項１】
（ａ）原稿の画像を読み取り、原稿データを生成する原稿読取部と、
（ｂ）該原稿読取部によって生成された原稿データから原稿の画像を抽出し、原稿の画像データを生成する画像抽出部と、
（ｃ）ユーザによって特定された受信者のあて先情報を生成するあて先情報生成部と、
（ｄ）該あて先情報生成部によって生成されたあて先情報を画像データに変換するあて先情報画像変換部と、
（ｅ）前記原稿の画像データ及びあて先情報の画像データに基づいて、媒体に原稿の画像を印刷したときに媒体の所定の部分に形成される余白のサイズを検出し、あて先情報を印刷するための余白が十分にあるかどうかを判断する画像分析判断部と、
（ｆ）該画像分析判断部の判断結果に基づいて、媒体の余白に対応させてあて先情報印刷領域を設定するあて先情報印刷領域設定部と、
（ｇ）前記原稿の画像データ及びあて先情報の画像データを読み込み、原稿の画像データ及びあて先情報の画像データが書き込まれたファクシミリデータを生成するファクシミリデータ生成部と、
（ｈ）ユーザによって特定された受信者に前記ファクシミリデータを送信する通信部とを有することを特徴とする画像処理装置。
【請求項２】
（ａ）前記画像分析判断部は、前記媒体の所定の部分にあて先情報を印刷するための余白が十分にない場合に、媒体の他の所定の部分に、あて先情報を印刷するための余白が十分にあるかどうかを判断し、
（ｂ）媒体の他の所定の部分に、あて先情報を印刷するための余白が十分にある場合、前記あて先情報印刷領域設定部は、原稿の画像を移動させることによって前記所定の部分に十分な余白を形成する請求項１に記載の画像処理装置。
【請求項３】
（ａ）前記画像抽出部によって生成された原稿の画像データを縮小する画像縮小部を有するとともに、
（ｂ）前記画像分析判断部は、あて先情報を印刷するための余白が十分にない場合、原稿の画像を縮小するための指示を前記画像縮小部に送る請求項１又は２に記載の画像処理装置。
【請求項４】
前記画像分析判断部は、原稿の画像データ及びあて先情報の画像データに基づいて、原稿の画像を縮小するための縮小率を算出する請求項１〜３のいずれか１項に記載の画像処理装置。
【請求項５】
前記あて先情報は、受信者のあて名である請求項１〜４のいずれか１項に記載の画像処理装置。
【請求項６】
前記あて先情報は、受信者のあて名及び同報情報である請求項１〜４のいずれか１項に記載の画像処理装置。
【発明の詳細な説明】
【技術分野】
【０００１】
本発明は、画像処理装置に関するものである。
【背景技術】
【０００２】
従来、ファクシミリ、複合機（ＭＦＰ）等の画像処理装置、例えば、複合機においては、原稿の画像を他の画像処理装置、例えば、複合機に送信する場合、スキャナ部において原稿の画像を読み取り、原稿の画像データ、すなわち、原稿画像データを生成し、該原稿画像データをファクシミリデータとして前記他の複合機、すなわち、送信先の複合機に送信するようになっている。そして、送信先の複合機において、ファクシミリデータが受信されると、ファクシミリデータが印刷データに変換され、プリンタ部において、前記印刷データに基づいて、媒体としての用紙に前記原稿の画像が印刷される。
【０００３】
ところで、前記従来の複合機においては、ファクシミリデータを送信する際、ファクシミリデータの先頭に、原稿の画像を送信する送信者の電話番号、送信年月日・時間等を発信元情報として書き込むことができるようになっている。その場合、送信先の複合機において、用紙に原稿の画像と共に発信元情報が印刷される（例えば、特許文献１参照。）。
【先行技術文献】
【特許文献】
【０００４】
【特許文献１】特開平５−４８７９０号公報
【発明の概要】
【発明が解決しようとする課題】
【０００５】
しかしながら、前記従来の画像処理装置においては、ファクシミリデータの先頭に、発信元情報に代えて、原稿の画像を受信する受信者の名称を表すあて名、受信者の電話番号等をあて先情報として書き込むことができ、その場合、用紙に原稿の画像と共にあて先情報が印刷されるが、ファクシミリデータの先頭には一つのあて先情報だけしか書き込むことができないので、原稿の画像を複数の画像処理装置に同時に送る場合、送信先の各画像処理装置において、用紙に原稿の画像と共にそれぞれのあて先情報を印刷することができない。
【０００６】
したがって、画像処理装置においては、送信先の各画像処理装置においてあて先情報が印刷されるように、各あて先情報が書き込まれたファクシミリデータを送信先の画像処理装置に個別に送信する必要があり、作業が煩雑になってしまう。
【０００７】
本発明は、前記従来の画像処理装置の問題点を解決して、原稿の画像を複数の画像処理装置に同時に送信する場合に、送信先の各画像処理装置において、媒体に原稿の画像と共に各あて先情報を印刷することができ、画像を送信するための作業を簡素化することができる画像処理装置を提供することを目的とする。
【課題を解決するための手段】
【０００８】
そのために、本発明の画像処理装置においては、原稿の画像を読み取り、原稿データを生成する原稿読取部と、該原稿読取部によって生成された原稿データから原稿の画像を抽出し、原稿の画像データを生成する画像抽出部と、ユーザによって特定された受信者のあて先情報を生成するあて先情報生成部と、該あて先情報生成部によって生成されたあて先情報を画像データに変換するあて先情報画像変換部と、前記原稿の画像データ及びあて先情報の画像データに基づいて、媒体に原稿の画像を印刷したときに媒体の所定の部分に形成される余白のサイズを検出し、あて先情報を印刷するための余白が十分にあるかどうかを判断する画像分析判断部と、該画像分析判断部の判断結果に基づいて、媒体の余白に対応させてあて先情報印刷領域を設定するあて先情報印刷領域設定部と、前記原稿の画像データ及びあて先情報の画像データを読み込み、原稿の画像データ及びあて先情報の画像データが書き込まれたファクシミリデータを生成するファクシミリデータ生成部と、ユーザによって特定された受信者に、前記ファクシミリデータを送信する通信部とを有する。
【発明の効果】
【０００９】
本発明によれば、画像処理装置においては、原稿の画像を読み取り、原稿データを生成する原稿読取部と、該原稿読取部によって生成された原稿データから原稿の画像を抽出し、原稿の画像データを生成する画像抽出部と、ユーザによって特定された受信者のあて先情報を生成するあて先情報生成部と、該あて先情報生成部によって生成されたあて先情報を画像データに変換するあて先情報画像変換部と、前記原稿の画像データ及びあて先情報の画像データに基づいて、媒体に原稿の画像を印刷したときに媒体の所定の部分に形成される余白のサイズを検出し、あて先情報を印刷するための余白が十分にあるかどうかを判断する画像分析判断部と、該画像分析判断部の判断結果に基づいて、媒体の余白に対応させてあて先情報印刷領域を設定するあて先情報印刷領域設定部と、前記原稿の画像データ及びあて先情報の画像データを読み込み、原稿の画像データ及びあて先情報の画像データが書き込まれたファクシミリデータを生成するファクシミリデータ生成部と、ユーザによって特定された受信者に、前記ファクシミリデータを送信する通信部とを有する。
【００１０】
この場合、ユーザによって特定された受信者のあて先情報が画像データに変換され、原稿の画像データ及びあて先情報の画像データに基づいて、媒体にあて先情報を印刷するための余白が十分にあるかどうかが判断され、判断結果に基づいて媒体の余白に対応させてあて先情報印刷領域が設定され、原稿の画像データ及びあて先情報の画像データが書き込まれたファクシミリデータが生成されるので、特別のフォーマットを使用することなく、送信先の複数の画像処理装置において、媒体に原稿の画像と共に各あて先情報を印刷することができる。
【００１１】
したがって、それぞれのあて先情報が書き込まれたファクシミリデータを送信先の各画像処理装置に同時に送信することができるので、作業を簡素化することができる。
【図面の簡単な説明】
【００１２】
【図１】本発明の第１の実施の形態における複合機の制御ブロック図である。
【図２】本発明の第１の実施の形態におけるネットワークシステムを示す図である。
【図３】本発明の第１の実施の形態における複合機の動作を示す第１のフローチャートである。
【図４】本発明の第１の実施の形態における複合機の動作を示す第２のフローチャートである。
【図５】本発明の第１の実施の形態におけるファクシミリデータ生成部の動作を説明するための第１の図である。
【図６】本発明の第１の実施の形態におけるファクシミリデータ生成部の動作を説明するための第２の図である。
【図７】本発明の第１の実施の形態におけるファクシミリデータ生成部の動作を説明するための第３の図である。
【図８】本発明の第２の実施の形態における複合機の動作を示す第１のフローチャートである。
【図９】本発明の第２の実施の形態における複合機の動作を示す第２のフローチャートである。
【図１０】本発明の第２の実施の形態におけるファクシミリデータ生成部の動作を説明するための第１の図である。
【図１１】本発明の第２の実施の形態におけるファクシミリデータ生成部の動作を説明するための第２の図である。
【図１２】本発明の第２の実施の形態におけるファクシミリデータ生成部の動作を説明するための第３の図である。
【発明を実施するための形態】
【００１３】
以下、本発明の実施の形態について図面を参照しながら詳細に説明する。この場合、画像処理装置としての複合機について説明する。
【００１４】
図２は本発明の第１の実施の形態におけるネットワークシステムを示す図である。
【００１５】
図において、Ｓｙはネットワークシステム、ｍｉ（ｉ＝１、２、…）は該ネットワークシステムＳｙを構成する複合機であり、各複合機ｍｉは、インターネット、電話回線等の通信回線であるネットワークＮｔを介して接続され、ファクシミリ通信機能を有し、原稿上の文字、イメージ等の情報、すなわち、原稿の画像を互いに送受信することができるようになっている。なお、この場合、原稿とは、特定のファクシミリ送信用フォーマットを有さない書類をいう。
【００１６】
次に、前記各複合機ｍｉについて説明する。この場合、各複合機ｍｉは構造が同じであるので、複合機ｍ１について説明する。
【００１７】
図１は本発明の第１の実施の形態における複合機の制御ブロック図である。
【００１８】
図に示されるように、複合機ｍ１は、複合機ｍ１の全体の制御を行う主制御部１０、ＲＡＭ、ＲＯＭ、ＥＥＰＲＯＭ等の記憶部から成る記憶装置１１、インクジェット式、電子写真式等の各種の印刷機構を備え、他の複合機からファクシミリデータを受信したときに、印刷データに基づいて媒体としての図示されない用紙に原稿の画像を印刷する印刷部１２、複合機ｍ１のユーザが各種の指示を入力するための操作パネル等から成る操作部１５、ＬＥＤ、ＬＣＤ等から成る表示部１６等を備える。
【００１９】
前記記憶装置１１は送信先情報記憶部１４を備え、該送信先情報記憶部１４に、複合機ｍ１のユーザによって、原稿の画像を受信する受信者の名称を表すあて名、受信者の電話番号等が送信先情報としてのあて先情報としてあらかじめ登録（記録）される。
【００２０】
また、複合機ｍ１は、原稿読取処理手段としての原稿読取部２１、画像抽出処理手段としての画像抽出部２２、画像縮小処理手段としての画像縮小部２３、あて先情報生成処理手段としてのあて先情報生成部２６、あて先情報画像変換処理手段としてのあて先情報画像変換部２７、画像分析判断処理手段としての画像分析判断部２８、あて先情報印刷領域設定処理手段としてのあて先情報印刷領域設定部２９、ファクシミリデータ生成処理手段としてのファクシミリデータ生成部３３、ネットワークＮｔに接続された通信処理手段としての通信部３４等を備える。
【００２１】
前記原稿読取部２１は、原稿読取処理を行い、図示されない原稿載置部に載置された原稿の画像を読み取り、原稿データを生成し、画像抽出部２２に送る。該画像抽出部２２は、画像抽出処理を行い、前記原稿データを読み込み、原稿データから原稿の画像を抽出し、原稿の画像データ、すなわち、原稿画像データを生成し、画像縮小部２３又はファクシミリデータ生成部３３に送る。そして、画像抽出部２２は、原稿画像データのデータサイズをミリ単位又はピクセル単位で算出するとともに、前記データサイズをデータサイズ情報として、原稿画像データのフォント、フォントサイズ等の情報をフォント情報として画像分析判断部２８に送る。
【００２２】
前記画像縮小部２３は、画像分析判断部２８から原稿の画像を縮小するための指示、及び縮小指標としての縮小率が送られた場合に、原稿の画像を縮小する。その場合、画像縮小部２３は、画像抽出部２２から原稿画像データを読み出し、原稿画像データに対して前記縮小率による画像縮小処理を行い、画像縮小処理が行われた原稿画像データを縮小率と共にファクシミリデータ生成部３３に送る。なお、前記画像縮小処理において、原稿の画像はビットマップデータ上で縮小されるようになっているが、フォントサイズを変更することによって原稿の画像を縮小することができる。
【００２３】
ところで、本実施の形態においては、複合機ｍ１から原稿の画像を所定の複合機に送信するに当たり、用紙の印刷がされない所定の部分、例えば、用紙の上部の余白に対応させてあて先情報印刷領域を設定し、該あて先情報印刷領域内に、所定のあて先情報、本実施の形態においては、あて名を書き込むと、送信先の複合機において、原稿の画像と共にあて名を印刷することができるようになっている。
【００２４】
そのために、あて先情報生成部２６は、ユーザが操作部１５を操作して受信者を特定すると、あて先情報生成処理を行い、前記送信先情報記憶部１４を参照し、特定された受信者に対応するあて名を読み出すことによって生成し、あて先情報画像変換部２７に送る。なお、ユーザは、操作部１５を操作して受信者のあて名及び電話番号を直接入力することができ、その場合、前記あて先情報生成部２６は、入力されたあて名を読み込むことによって生成し、あて先情報画像変換部２７に送る。
【００２５】
そして、該あて先情報画像変換部２７は、あて先情報画像変換処理を行い、各受信者ごとのあて名を画像データに変換し、画像分析判断部２８及びファクシミリデータ生成部３３に送る。また、あて先情報画像変換部２７は、あて名の画像データ、すなわち、あて名画像データのデータサイズをミリ単位又はピクセル単位で算出するとともに、前記データサイズをデータサイズ情報として、あて名画像データのフォント、フォントサイズ等の情報をフォント情報として画像分析判断部２８に送る。なお、あて名画像データのフォント、フォントサイズ等は、画像分析判断部２８からフィードバックされる原稿画像データのフォント、フォントサイズ等に対応させて設定される。
【００２６】
前記画像分析判断部２８は、画像分析判断処理を行い、原稿画像データ及びあて名画像データに基づいて、送信先の複合機において用紙に原稿の画像及びあて名を印刷することができるかどうかを判断し、判断結果をあて先情報印刷領域設定部２９に送る。
【００２７】
そして、送信先の複合機において用紙に原稿の画像及びあて名を印刷することができない場合に、前記画像分析判断部２８は、用紙に原稿の画像及びあて名を印刷するために原稿の画像を縮小する必要があるかどうかを判断し、原稿の画像を縮小する必要がある場合に、原稿画像データ及びあて名画像データの各データサイズに基づいて縮小率を算出し、原稿の画像を縮小するための指示、及び前記縮小率を画像縮小部２３に送る。
【００２８】
また、あて先情報印刷領域設定部２９は、あて先情報印刷領域設定処理を行い、画像分析判断部２８の判断結果に基づいて、あて先情報印刷領域を設定し、ファクシミリデータ生成部３３に送る。
【００２９】
そして、該ファクシミリデータ生成部３３は、ファクシミリデータ生成処理を行い、画像抽出部２２から送られた原稿画像データ、画像縮小部２３から送られた、画像縮小処理が行われた原稿画像データ及び縮小率、あて先情報画像変換部２７から送られたあて名画像データ、あて先情報印刷領域設定部２９から送られたあて先情報印刷領域に基づいて、ファクシミリデータを生成し、通信部３４に送る。この場合、あて先情報印刷領域以外の領域に対応する箇所に原稿画像データが、前記あて先情報印刷領域に対応する箇所にあて名画像データが書き込まれる。
【００３０】
次に、前記構成の複合機ｍ１の動作について説明する。
【００３１】
図３は本発明の第１の実施の形態における複合機の動作を示す第１のフローチャート、図４は本発明の第１の実施の形態における複合機の動作を示す第２のフローチャート、図５は本発明の第１の実施の形態におけるファクシミリデータ生成部の動作を説明するための第１の図、図６は本発明の第１の実施の形態におけるファクシミリデータ生成部の動作を説明するための第２の図、図７は本発明の第１の実施の形態におけるファクシミリデータ生成部の動作を説明するための第３の図である。
【００３２】
まず、ユーザが操作部１５（図１）を操作して、表示部１６の図示されない画面にあて先情報リストを表示させ、原稿の画像を送信する所定の複数の受信者を選択して特定し、送信先の複合機において原稿の画像と共にあて名を印刷するかどうかを指示する。
【００３３】
次に、ユーザが原稿載置部に原稿を載置し、操作部１５を操作して原稿の画像の読取りを指示すると、前記原稿読取部２１は、原稿の画像を読み取り、原稿データを生成し、画像抽出部２２に送る。該画像抽出部２２は、前記原稿データを読み込み、原稿データから原稿の画像を抽出し、原稿画像データを生成する。
【００３４】
続いて、前記あて先情報生成部２６は、ユーザが送信先の複合機においてあて名を印刷するように指示したかどうかを判断し、ユーザが送信先の複合機においてあて名を印刷するように指示しなかった場合、ファクシミリデータ生成部３３は、画像抽出部２２から原稿画像データを読み出し、原稿画像データに基づいてファクシミリデータを生成し、通信部３４は、ユーザによって特定された受信者に対応する送信先の各電話番号を送信先情報記憶部１４から読み出し、送信先の各複合機にファクシミリデータを同時に送信する。
【００３５】
また、ユーザが送信先の複合機においてあて名を印刷するように指示した場合、あて先情報生成部２６は、送信先情報記憶部１４を参照し、特定された受信者に対応するあて名を読み出し、あて先情報画像変換部２７に送る。
【００３６】
該あて先情報画像変換部２７は、各受信者ごとのあて名をあて名画像データに変換し、画像分析判断部２８及びファクシミリデータ生成部３３に送るとともに、あて名画像データのデータサイズ及びフォント、フォントサイズ等の情報を画像分析判断部２８に送る。
【００３７】
次に、画像分析判断部２８は、原稿画像データ及びあて名画像データに基づいて、用紙に原稿の画像及びあて名を印刷することができるかどうかを判断する。
【００３８】
そのために、前記画像分析判断部２８は、画像抽出部２２から原稿画像データのデータサイズを、あて先情報画像変換部２７からあて名画像データのデータサイズを読み込むことによって取得する。続いて、画像分析判断部２８は、原稿画像データに基づいて、用紙に原稿の画像を印刷したときに形成される用紙の印刷がされない所定の部分、本実施の形態においては、用紙の上部の余白のサイズを検出し、用紙の上部にあて名を印刷するための余白が十分にあるかどうかを判断する。
【００３９】
図５に示されるように、用紙の上部にあて名を印刷するための余白が十分にある場合、あて先情報印刷領域設定部２９は、用紙の上部の余白に対応させてあて先情報印刷領域を設定する。なお、本実施の形態において、あて先情報印刷領域は用紙の上部に設定され、あて名を印刷する箇所については、あて先情報印刷領域内においてユーザが任意に設定することができる。
【００４０】
そして、前記ファクシミリデータ生成部３３は、画像抽出部２２から原稿画像データを、あて先情報画像変換部２７からあて名画像データを読み込み、送信先の複合機に対応させてあて名（Ａ様、Ｂ様、Ｃ様等）が書き込まれたファクシミリデータを生成する。
【００４１】
続いて、通信部３４は、ユーザによって特定された受信者に対応する送信先の各電話番号を送信先情報記憶部１４から読み出し、送信先の各複合機にファクシミリデータを同時に送信する。
【００４２】
また、図６に示されるように、用紙の上部にあて名を印刷するための余白が十分にない場合、前記画像分析判断部２８は、原稿画像データに基づいて、用紙に原稿の画像を印刷したときに形成される用紙の印刷がされない他の所定の部分、本実施の形態においては、下部及び中間部の余白のサイズを検出し、用紙の下部及び中間部にあて名を印刷するための余白が十分にあるかどうかを判断する。用紙の下部及び中間部にあて名を印刷するための余白が十分にある場合、前記あて先情報印刷領域設定部２９は、原稿の画像を下方に移動させることによって用紙の上部に余白を形成し、上部の余白に対応させてあて先情報印刷領域を設定する。本実施の形態においては、まず、中間部の余白より上方の画像を下方に移動させて中間部の余白をなくすことによって用紙の上部にあて名を印刷するための余白を形成することができるかどうかが判断され、あて名を印刷するための余白を形成することができない場合に、画像の全体を下方に移動させて下部の余白をなくすことによって用紙の上部にあて名を印刷するための余白を形成することができるかどうかが判断される。
【００４３】
そして、ファクシミリデータ生成部３３は、画像抽出部２２から原稿画像データを、あて先情報画像変換部２７からあて名画像データを読み込み、送信先の複合機に対応させてあて名（Ａ様、Ｂ様、Ｃ様等）が書き込まれたファクシミリデータを生成する。
【００４４】
続いて、通信部３４は、ユーザによって特定された受信者に対応する送信先の各電話番号を送信先情報記憶部１４から読み出し、送信先の各複合機にファクシミリデータを同時に送信する。
【００４５】
また、図７に示されるように、用紙の上部、中間部及び下部のいずれにもあて名を印刷するための余白が十分にない場合、前記画像分析判断部２８は、原稿画像データのデータサイズにあて名画像データのデータサイズを加算することによって、原稿の画像及びあて名を印刷するのに必要な印刷領域のサイズを算出し、該印刷領域のサイズに対する原稿画像データのデータサイズの比率を百分率で表した値を縮小率として算出する。
【００４６】
続いて、前記画像分析判断部２８は、原稿の画像を縮小するための指示を画像縮小部２３及びあて先情報印刷領域設定部２９に、算出した縮小率を画像縮小部２３に送り、該画像縮小部２３は、原稿の画像を縮小する。そのために、画像縮小部２３は、画像抽出部２２から原稿画像データを読み出し、原稿画像データに対して前記縮小率による画像縮小処理を行い、画像縮小処理が行われた原稿画像データを縮小率と共にファクシミリデータ生成部３３に送る。
【００４７】
そして、前記あて先情報印刷領域設定部２９は、用紙の上部及び下部の余白に対応させてあて先情報印刷領域を設定する。
【００４８】
次に、前記ファクシミリデータ生成部３３は、画像縮小部２３から原稿画像データを、あて先情報画像変換部２７からあて名画像データを読み込み、送信先の複合機に対応させてあて名（Ａ様、Ｂ様、Ｃ様等）が書き込まれたファクシミリデータを生成する。なお、この場合、ファクシミリデータ生成部３３は、用紙の下部の余白に、原稿の画像が実際の原稿より縮小されたことを通知するメッセージを印刷するためのデータを生成する。
【００４９】
続いて、通信部３４は、ユーザによって特定された受信者に対応する送信先の各電話番号を送信先情報記憶部１４から読み出し、送信先の各複合機にファクシミリデータを同時に送信する。
【００５０】
このように、本実施の形態においては、ユーザによって特定された受信者のあて名があて名画像データに変換され、原稿画像データ及びあて名画像データに基づいて、用紙にあて名を印刷するための余白が十分にあるかどうかが判断され、判断結果に基づいて用紙の余白に対応させてあて先情報印刷領域が設定され、原稿画像データ及びあて名画像データが書き込まれたファクシミリデータが生成されるので、特別のフォーマットを使用することなく、送信先の複数の複合機において、用紙に原稿の画像と共に各あて名を印刷することができる。
【００５１】
したがって、それぞれのあて名が書き込まれたファクシミリデータを送信先の各複合機に同時に送信することができ、画像を送信するための作業を簡素化することができる。
【００５２】
次に、フローチャートについて説明する。
ステップＳ１  ユーザは受信者を選択する。
ステップＳ２  ユーザはあて名を印刷するかどうかを指示する。
ステップＳ３  原稿読取部２１は原稿の画像を読み取る。
ステップＳ４  あて先情報生成部２６はユーザからあて名を印刷するよう指示されたかどうかを判断する。ユーザからあて名を印刷するよう指示された場合はステップＳ５に、あて名を印刷するよう指示されていない場合はステップＳ１４に進む。
ステップＳ５  あて先情報画像変換部２７はあて名をあて名画像データに変換する。
ステップＳ６  画像分析判断部２８は原稿画像データ及びあて名画像データの各データサイズを取得する。
ステップＳ７  画像分析判断部２８は用紙の上部の余白のサイズを検出する。
ステップＳ８  画像分析判断部２８は用紙の上部に余白が十分にあるかどうかを判断する。用紙の上部に余白が十分にある場合はステップＳ１３に、用紙の上部に余白が十分にない場合はステップＳ９に進む。
ステップＳ９  画像分析判断部２８は用紙の下部及び中間部の余白を検出する。
ステップＳ１０  画像分析判断部２８は用紙の下部及び中間部に余白が十分にあるかどうかを判断する。用紙の下部及び中間部に余白が十分にある場合はステップＳ１２に、用紙の下部及び中間部に余白が十分にない場合はステップＳ１１に進む。
ステップＳ１１  画像縮小部２３は原稿の画像を縮小する。
ステップＳ１２  あて先情報印刷領域設定部２９は原稿の画像を下方に移動させる。
ステップＳ１３  あて先情報印刷領域設定部２９はあて先情報印刷領域を設定する。
ステップＳ１４  ファクシミリデータ生成部３３はファクシミリデータを生成する。
ステップＳ１５  通信部３４は送信先の複合機にファクシミリデータを同時に送信し、処理を終了する。
【００５３】
次に、本発明の第２の実施の形態について説明する。なお、第１の実施の形態と同じ構造を有するものについては、同じ符号を付与し、同じ構造を有することによる発明の効果については同実施の形態の効果を援用する。
【００５４】
この場合、画像処理装置としての複合機ｍ１（図１）から原稿の画像を送信先の複合機に送信するに当たり、用紙の上部の余白に対応させてあて先情報印刷領域を設定すると、該あて先情報印刷領域内に、所定のあて先情報、本実施の形態においては、あて名、及び原稿の画像が他の受信者にも同時に送信されたことを表す情報、すなわち、同報情報を印刷することができるようになっている。
【００５５】
そのために、あて先情報生成処理手段としての前記あて先情報生成部２６は、ユーザが操作部１５を操作して受信者を特定すると、送信先情報記憶部１４を参照し、特定された受信者に対応するあて名を読み出すことによって生成し、あて先情報画像変換処理手段としてのあて先情報画像変換部２７に送る。なお、前記第１の実施の形態と同様に、ユーザは、操作部１５を操作して受信者のあて名及び電話番号を直接入力することができ、その場合、前記あて先情報生成部２６は、入力されたあて名を読み込むことによって生成し、あて先情報画像変換部２７に送る。
【００５６】
該あて先情報画像変換部２７は、各受信者ごとのあて名をあて名画像データに、同報情報を同報情報画像データに変換し、あて名画像データ及び同報情報画像データを画像分析判断処理手段としての画像分析判断部２８及びファクシミリデータ生成処理手段としてのファクシミリデータ生成部３３に送る。また、あて先情報画像変換部２７は、あて名画像データ及び同報情報画像データの各データサイズを算出するとともに、該各データサイズをデータサイズ情報として、あて名画像データ及び同報情報画像データのフォント、フォントサイズ等の情報をフォント情報として画像分析判断部２８に送る。なお、あて名画像データ及び同報情報画像データのフォント、フォントサイズ等は、画像分析判断部２８からフィードバックされる原稿画像データのフォント、フォントサイズ等に対応させて設定される。
【００５７】
前記画像分析判断部２８は、原稿画像データ、あて名画像データ及び同報情報画像データに基づいて、媒体としての用紙に原稿、あて名及び同報情報を印刷することができるかどうかを判断し、判断結果をあて先情報印刷領域設定処理手段としてのあて先情報印刷領域設定部２９に送る。
【００５８】
そして、用紙に原稿、あて名及び同報情報を印刷することができない場合、前記画像分析判断部２８は、用紙に原稿、あて名及び同報情報を印刷するために原稿の画像を縮小する必要があるかどうかを判断し、原稿の画像を縮小する必要がある場合、原稿画像データ、あて名画像データ及び同報情報画像データの各データサイズに基づいて縮小指標としての縮小率を算出し、原稿の画像を縮小するための指示、及び前記縮小率を画像縮小部２３に送る。
【００５９】
また、あて先情報印刷領域設定部２９は、画像分析判断部２８の判断結果に基づいて、あて先情報印刷領域を設定し、ファクシミリデータ生成部３３に送る。
【００６０】
そして、該ファクシミリデータ生成部３３は、画像抽出部２２から送られた画像データ、画像縮小部２３から送られた原稿画像データ及び縮小率、あて先情報画像変換部２７から送られたあて名画像データ及び同報情報画像データ、並びにあて先情報印刷領域設定部２９から送られたあて先情報印刷領域に基づいて、ファクシミリデータを生成し、通信部３４に送る。この場合、あて先情報印刷領域以外の領域に対応する箇所に原稿の画像データが、前記あて先情報印刷領域に対応する箇所にあて名画像データ及び同報情報画像データが書き込まれる。
【００６１】
次に、前記構成の複合機ｍ１の動作について説明する。
【００６２】
図８は本発明の第２の実施の形態における複合機の動作を示す第１のフローチャート、図９は本発明の第２の実施の形態における複合機の動作を示す第２のフローチャート、図１０は本発明の第２の実施の形態におけるファクシミリデータ生成部の動作を説明するための第１の図、図１１は本発明の第２の実施の形態におけるファクシミリデータ生成部の動作を説明するための第２の図、図１２は本発明の第２の実施の形態におけるファクシミリデータ生成部の動作を説明するための第３の図である。
【００６３】
まず、ユーザが操作部１５（図１）を操作して、表示部１６の画面にあて先情報リストを表示させ、原稿の画像を送信する所定の複数の受信者を選択して特定し、送信先の複合機において原稿の画像と共にあて名及び同報情報を印刷するかどうかを指示する。
【００６４】
次に、ユーザが原稿載置部に原稿を載置し、操作部１５を操作して原稿の画像の読取りを指示すると、原稿読取処理手段としての原稿読取部２１は、原稿の画像を読み取り、原稿データを生成し、画像抽出処理手段としての画像抽出部２２に送る。該画像抽出部２２は、前記原稿データを読み込み、原稿データから原稿の画像を抽出し、原稿画像データを生成する。
【００６５】
続いて、あて先情報生成部２６は、ユーザが送信先の複合機においてあて名及び同報情報を印刷するように指示したかどうかを判断し、ユーザが送信先の複合機においてあて名及び同報情報を印刷するように指示しなかった場合、ファクシミリデータ生成部３３は、画像抽出部２２から原稿画像データを読み出し、原稿画像データに基づいてファクシミリデータを生成し、通信処理手段としての通信部３４は、ユーザによって特定された受信者に対応する送信先の各電話番号を送信先情報記憶部１４から読み出し、送信先の各複合機にファクシミリデータを同時に送信する。
【００６６】
また、ユーザが送信先の複合機においてあて名及び同報情報を印刷するように指示した場合、あて先情報生成部２６は、送信先情報記憶部１４を参照し、特定された受信者に対応するあて名を読み出し、受信者ごとに同報情報を作成し、各受信者ごとのあて名及び同報情報をあて先情報画像変換部２７に送る。
【００６７】
該あて先情報画像変換部２７は、各受信者ごとのあて名をあて名画像データに、同報情報を同報情報画像データに変換し、あて名画像データ及び同報情報画像データを画像分析判断部２８及びファクシミリデータ生成部３３に送る。また、あて先情報画像変換部２７は、あて名画像データ及び同報情報画像データの各データサイズをミリ単位又はピクセル単位で算出するとともに、前記各データサイズをデータサイズ情報として、あて名画像データ及び同報情報画像データのフォント、フォントサイズ等の情報をフォント情報として画像分析判断部２８に送る。なお、あて名画像データ及び同報情報画像データのフォント、フォントサイズ等は、画像分析判断部２８からフィードバックされる原稿画像データのフォント、フォントサイズ等に対応させて設定される。また、同報情報のフォント、フォントサイズ等はユーザの指示に基づいて設定される。
【００６８】
次に、画像分析判断部２８は、原稿画像データ、あて名画像データ及び同報情報画像データに基づいて、用紙に原稿の画像、あて名及び同報情報を印刷することができるかどうかを判断する。
【００６９】
そのために、前記画像分析判断部２８は、画像抽出部２２から原稿画像データのデータサイズを、あて先情報画像変換部２７からあて名画像データ及び同報情報画像データの各データサイズを読み込むことによって取得する。続いて、画像分析判断部２８は、原稿画像データに基づいて、用紙に原稿の画像を印刷したときに形成される用紙の上部の余白のサイズを検出し、用紙の上部にあて名及び同報情報を印刷するための余白が十分にあるかどうかを判断する。
【００７０】
図１０に示されるように、用紙の上部にあて名及び同報情報を印刷するための余白が十分にある場合、あて先情報印刷領域設定部２９は、用紙の上部の余白に対応させてあて先情報印刷領域を設定する。なお、本実施の形態において、あて先情報印刷領域は用紙の上部に設定され、あて名及び同報情報を印刷する箇所については、あて先情報印刷領域内においてユーザが任意に設定することができる。
【００７１】
そして、ファクシミリデータ生成部３３は、画像抽出部２２から原稿画像データを、あて先情報画像変換部２７からあて名画像データ及び同報情報画像データを読み込み、送信先の複合機に対応させてあて名（Ａ様、Ｂ様、Ｃ様等）及び同報情報が書き込まれたファクシミリデータを生成する。なお、この場合、同報情報は、原稿の画像が他の受信者にも同時に送信されたことを表すメッセージである。
【００７２】
続いて、通信部３４は、ユーザによって特定された受信者に対応する送信先の各電話番号を送信先情報記憶部１４から読み出し、送信先の各複合機にファクシミリデータを同時に送信する。
【００７３】
また、用紙の上部にあて名及び同報情報を印刷するための余白が十分にない場合、前記画像分析判断部２８は、原稿画像データに基づいて、用紙に原稿の画像を印刷したときに形成される用紙の下部及び中間部の余白を検出し、用紙の下部及び中間部にあて名及び同報情報を印刷するための余白が十分にあるかどうかを判断する。用紙の下部及び中間部にあて名を印刷するための余白が十分にある場合、あて先情報印刷領域設定部２９は、原稿の画像を下方に移動させることによって用紙の上部に余白を形成し、該余白に対応させてあて先情報印刷領域を設定する。
【００７４】
次に、ファクシミリデータ生成部３３は、画像抽出部２２から原稿画像データを、あて先情報画像変換部２７からあて名画像データ及び同報情報画像データを読み込み、送信先の複合機に対応させてあて名（Ａ様、Ｂ様、Ｃ様等）及び同報情報が書き込まれたファクシミリデータを生成する。
【００７５】
続いて、通信部３４は、ユーザによって特定された受信者に対応する送信先の各電話番号を送信先情報記憶部１４から読み出し、送信先の各複合機にファクシミリデータを同時に送信する。
【００７６】
また、用紙の上部、中間部及び下部のいずれにもあて名及び同報情報を印刷するための余白が十分にない場合、前記画像分析判断部２８は、原稿画像データのデータサイズにあて名画像データ及び同報情報画像データの各データサイズを加算することによって、原稿の画像、あて名及び同報情報を印刷するのに必要な印刷領域のサイズを算出し、該印刷領域のサイズに対する原稿画像データのデータサイズの比率を百分率で表した値を縮小率として算出する。
【００７７】
続いて、前記画像分析判断部２８は、原稿の画像を縮小するための指示を画像縮小部２３及びあて先情報印刷領域設定部２９に、算出した縮小率を画像縮小部２３に送り、画像縮小部２３は、画像を縮小する。そのために、画像縮小部２３は、画像抽出部２２から原稿画像データを読み出し、原稿画像データに対して前記縮小率による画像縮小処理を行い、画像縮小処理が行われた原稿画像データを縮小率と共にファクシミリデータ生成部３３に送る。
【００７８】
続いて、該ファクシミリデータ生成部３３は、画像縮小部２３から原稿画像データを、あて先情報画像変換部２７からあて名画像データ及び同報情報画像データを読み込み、あて名（Ａ様、Ｂ様、Ｃ様等）及び同報情報が書き込まれたファクシミリデータを生成する。
【００７９】
続いて、通信部３４は、ユーザによって特定された受信者に対応する送信先の各電話番号を送信先情報記憶部１４から読み出し、送信先の各複合機にファクシミリデータを同時に送信する。
【００８０】
なお、図１０においては、あて名及び同報情報が用紙の上部の余白に印刷されるようになっているが、図１１に示されるように、原稿の画像を下方に移動させて、用紙の上部及び下部に余白を形成し、あて名を用紙の上部の余白に、同報情報を用紙の下部の余白に印刷することができる。
【００８１】
また、図１２に示されるように、各送信先のあて名を「宛先」として、原稿の画像が同時に送信された他の受信者のあて名を「ＣＣ（カーボンコピー）」として印刷することができる。
【００８２】
このように、本実施の形態においては、ユーザによって特定された受信者のあて名及び同報情報が画像データに変換され、原稿画像データ、あて名画像データ及び同報情報画像データに基づいて、あて名及び同報情報を印刷するための余白が十分にあるかどうかが判断され、判断結果に基づいて用紙の余白に対応させてあて先情報印刷領域が設定され、原稿画像データ、あて名画像データ及び同報情報画像データが書き込まれたファクシミリデータが生成されるので、特別のフォーマットを使用することなく、送信先の複数の複合機において、用紙に原稿の画像と共に各あて名及び同報情報を印刷することができる。
【００８３】
したがって、各受信者は、他の受信者が原稿の画像を同時に受信していることを容易に知ることができる。
【００８４】
次に、フローチャートについて説明する。
ステップＳ２１  ユーザは受信者を選択する。
ステップＳ２２  ユーザはあて名及び同報情報を印刷するかどうかを指示する。
ステップＳ２３  原稿読取部２１は原稿の画像を読み取る。
ステップＳ２４  あて先情報生成部２６はユーザからあて名及び同報情報を印刷するように指示されたかどうかを判断する。ユーザからあて名及び同報情報を印刷するように指示された場合はステップＳ２５に、ユーザからあて名及び同報情報を印刷するように指示されていない場合はステップＳ３４に進む。
ステップＳ２５  あて先情報画像変換部２７はあて名をあて名画像データに、同報情報を同報情報画像データに変換する。
ステップＳ２６  画像分析判断部２８は原稿画像データ、あて名画像データ及び同報情報画像データの各データサイズを取得する。
ステップＳ２７  画像分析判断部２８は用紙の上部の余白のサイズを検出する。
ステップＳ２８  画像分析判断部２８は用紙の上部に余白が十分にあるかどうかを判断する。用紙の上部に余白が十分にある場合はステップＳ３３に、用紙の上部に余白が十分にない場合はステップＳ２９に進む。
ステップＳ２９  画像分析判断部２８は用紙の下部及び中間部の余白を検出する。
ステップＳ３０  画像分析判断部２８は用紙の下部及び中間部に余白が十分にあるかどうかを判断する。用紙の下部及び中間部に余白が十分にある場合はステップＳ３２に、用紙の下部及び中間部に余白が十分にない場合はステップＳ３１に進む。
ステップＳ３１  画像縮小部２３は原稿の画像を縮小する。
ステップＳ３２  あて先情報印刷領域設定部２９は原稿の画像を下方に移動させる。
ステップＳ３３  あて先情報印刷領域設定部２９はあて先情報印刷領域を設定する。
ステップＳ３４  ファクシミリデータ生成部３３はファクシミリデータを生成する。
ステップＳ３５  通信部３４は送信先の複合機にファクシミリデータを同時に送信し、処理を終了する。
【００８５】
前記各実施の形態においては、複合機ｍ１について説明したが、画像処理装置としてのファクシミリ、ファクシミリ機能を有する端末装置等に適用することができる。
【００８６】
なお、本発明は前記各実施の形態に限定されるものではなく、本発明の趣旨に基づいて種々変形させることが可能であり、それらを本発明の範囲から排除するものではない。
【符号の説明】
【００８７】
２１    画像読取部
２２    画像抽出部
２６    あて先情報生成部
２７    あて先情報画像変換部
２８    画像分析判断部
２９    あて先情報印刷領域設定部
３３    ファクシミリデータ生成部
３４    通信部
ｍｉ    複合機
【図１】
2014232984.tif 000003
【図２】
2014232984.tif 000004
【図３】
2014232984.tif 000005
【図４】
2014232984.tif 000006
【図５】
2014232984.tif 000007
【図６】
2014232984.tif 000008
【図７】
2014232984.tif 000009
【図８】
2014232984.tif 000010
【図９】
2014232984.tif 000011
【図１０】
2014232984.tif 000012
【図１１】
2014232984.tif 000013
【図１２】
2014232984.tif 000014